(57)【要約】【課題】上ケースと下ケースとを超音波溶着する際に、上ケースと下ケースと端子支持部材とが一緒に溶着されてしまう事態を生じることなく端子支持部材を、上ケースと下ケースとの間に安定して保持させることができる。【解決手段】合成樹脂製の上ケース２と、この上ケース２に接合される合成樹脂製の下ケース３と、これらの上ケース２と下ケース３との間に形成され、カード１を挿入可能なカード挿入部５と、カード１の複数の接触部のそれぞれと接触可能な複数の端子部材６ａと、これらの端子部材６ａにそれぞれ一体に形成され、外部回路と接続可能な複数の外部接続部６ｂと、複数の端子部材６ａを支持する合成樹脂製の端子支持部材６とを備えるとともに、この端子支持部材６を、上ケース２との間に隙間７を設けて保持させる金属製の突張部材６ｃを備えた構成にしてある。【選択図】図２
2007264791.tif 000002
【特許請求の範囲】
【請求項１】
合成樹脂製の上ケースと、この上ケースに接合される合成樹脂製の下ケースと、これらの上ケースと下ケースとの間に形成され、カードを挿入可能なカード挿入部と、上記カードの複数の接触部のそれぞれと接触可能な複数の端子部材と、これらの端子部材にそれぞれ一体に形成され、外部回路と接続可能な複数の外部接続部と、上記複数の端子部材を支持する合成樹脂製の端子支持部材とを備えるとともに、
上記端子支持部材を、上記上ケースと上記下ケースとの間に配置し、上記上ケースまたは上記下ケースとの間に隙間を設けて保持させる金属製の突張部材を備えたことを特徴とするカードアダプタ装置。
【請求項２】
上記請求項１記載の発明において、
上記複数の端子部材、及び上記突張部材は、上記端子支持部材と一体に成形されていることを特徴とするカードアダプタ装置。
【請求項３】
上記請求項１または２記載の発明において、
上記複数の端子部材、及び上記突張部材は、一枚の金属板を打ち抜いて一体に形成されていることを特徴とするカードアダプタ装置。
【請求項４】
上記請求項１〜３のいずれか１項記載の発明において、
上記突張部材は、上記端子支持部材の両側部からそれぞれ腕状に張り出し形成され、これらの突張部材の先端部を上記上ケースに当接させて上記端子支持部材を上記下ケース側へ付勢することを特徴とするカードアダプタ装置。
【請求項５】
上記請求項１〜４のいずれか１項記載の発明において、
上記端子支持部材は、上記上ケースまたは上記下ケースに対する位置決め部を有することを特徴とするカードアダプタ装置。
【請求項６】
上記請求項３記載の発明において、
上記カードの凹部に係合してこのカードを保持する係合部材を備えるとともに、この係合部材は、上記複数の端子部材と上記突張部材とともに上記一枚の金属板を打ち抜いて形成されていることを特徴とするカードアダプタ装置。
【発明の詳細な説明】
【技術分野】
【０００１】
本発明は、挿入されたカードを保持した状態で、カードコネクタ装置に接続されるカードアダプタ装置に関する。
【背景技術】
【０００２】
この種の従来技術として、特許文献１に示されるものがある。この従来技術は、絶縁性のプラスチック、すなわち合成樹脂製の上ケースと下ケースとから成るベースハウジングと、このベースハウジング内に配置される合成樹脂製のインナーハウジング、すなわち端子支持部材とを備えている。また、ベースハウジング内には、小型化カード受入空洞すなわちカード挿入部が形成されている。さらに、このカード挿入部に挿入されたカードの接触部のそれぞれと接触可能な複数の接続端子、すなわち端子部材と、この端子部材にそれぞれ一体に形成され、外部回路を形成するカードコネクタ装置に接続可能な接点パッド、すなわち外部接続部とを備え、これらの端子部材と外部接続部は、上述したインナーハウジングに一体に形成され、支持されている。
【０００３】
このように構成したカードアダプタ装置は、カード挿入部にカードが挿入された状態でカードコネクタ装置に接続されることにより、このカードアダプタ装置の端子部材及び外部接続部を介して、保持されたカードと、カードコネクタ装置との間の信号の送受信が可能となる。
【特許文献１】特開２００４−１４５６７６公報
【発明の開示】
【発明が解決しようとする課題】
【０００４】
上述のような合成樹脂製の上ケース、下ケースから成るベースハウジング内に合成樹脂製の端子支持部材を配置したものにあって、製作作業能率を向上させるために、上ケースと下ケースとを溶着して一体に接合させる超音波溶着を実施することが考えられる。しかし、上述した従来技術では、ベースハウジング内に配置された端子支持部材がベースハウジングを形成する上ケースと下ケースの双方に接触することから、超音波溶着を実施した際に上ケース、端子支持部材、下ケースの三者が一緒に溶着されてしまう懸念がある。このように三者が溶着されてしまうと、全体形状あるいは各部の形状にゆがみが生じ、カードアダプタ装置としての信頼性が損なわれてしまう。
【０００５】
本発明は、前述した従来技術における実状からなされたもので、その目的は、上ケースと下ケースとを超音波溶着する際に、上ケースと下ケースと端子支持部材とが一緒に溶着されてしまう事態を生じることなく端子支持部材を、上ケースと下ケースとの間に安定して保持させることができるカードアダプタ装置を提供することにある。
【課題を解決するための手段】
【０００６】
この目的を達成するために、本発明は、合成樹脂製の上ケースと、この上ケースに接合される合成樹脂製の下ケースと、これらの上ケースと下ケースとの間に形成され、カードを挿入可能なカード挿入部と、上記カードの複数の接触部のそれぞれと接触可能な複数の端子部材と、これらの端子部材にそれぞれ一体に形成され、外部回路と接続可能な複数の外部接続部と、上記複数の端子部材を支持する合成樹脂製の端子支持部材とを備えるとともに、上記端子支持部材を、上記上ケースと上記下ケースとの間に配置し、上記上ケースまたは上記下ケースとの間に隙間を設けて保持させる金属製の突張部材を備えたことを特徴としている。
【０００７】
このように構成した本発明は、端子支持部材と上ケース、または端子支持部材と下ケースとの間に突張部材によって隙間を設けたので、上ケースと下ケースとを超音波溶着する際に、上ケースと下ケースと端子支持部材とが一緒に溶着されてしまうことを防止でき、しかも突張部材の突張り力によって端子支持部材を、上ケースと下ケースとの間に安定して保持させることができる。
【０００８】
また、本発明は上記発明において、上記複数の端子部材、及び上記突張部材は、上記端子支持部材と一体に成形されていることを特徴としている。このように構成した本発明は、複数の端子部材、突張部材、及び端子支持部材が一体構造物を形成するので、組み付けが容易である。
【０００９】
また、本発明は記発明において、上記複数の端子部材、及び上記突張部材は、一枚の金属板を打ち抜いて一体に形成されていることを特徴としている。このように構成した本発明は、複数の端子部材と突張部材を容易に製作することができる。
【００１０】
また、本発明は上記発明において、上記突張部材は、上記端子支持部材の両側部からそれぞれ腕状に張り出し形成され、これらの突張部材の先端部を上記上ケースに当接させて上記端子支持部材を上記下ケース側へ付勢することを特徴としている。このように構成した本発明は、上ケースと端子支持部材との間に隙間を形成させることができる。
【００１１】
また、本発明は上記発明において、上記端子支持部材は、上記上ケースまたは上記下ケースに対する位置決め部を有することを特徴としている。このように構成した本発明は、上ケースまたは下ケースに対する端子支持部材の位置決め精度を高めることができる。
【００１２】
また、本発明は上記発明において、上記カードの凹部に係合してこのカードを保持する係合部材を備えるとともに、この係合部材は、上記複数の端子部材と上記突張部材とともに上記一枚の金属板を打ち抜いて形成されていることを特徴としている。このように構成した本発明は、カードを保持する係合部材も、複数の端子部材と突張部材とともに容易に製作することができる。
【発明の効果】
【００１３】
本発明は、端子支持部材を、上ケースまたは下ケースとの間に隙間を設けて保持させる金属製の突張部材を備えたことから、上ケースと下ケースとを超音波溶着する際に、上ケースと下ケースと端子支持部材とが一緒に溶着されてしまう事態を生じることなく端子支持部材を、上ケースと下ケースとの間に安定して保持させることができる。したがって、超音波溶着した上ケースと下ケースを含めた全体及び各部に、従来懸念されていた超音波溶着に伴う形状のゆがみを生じることがなく、精度の高い形状にすることができる。これにより、超音波溶着による製作作業能率の向上を実現できるとともに、信頼性の高い装置を得ることができる。
【発明を実施するための最良の形態】
【００１４】
以下，本発明に係るカードアダプタ装置を実施するための最良の形態を図に基づいて説明する。
【００１５】
［本実施形態で使用されるカード］
図１は本発明に係るカードアダプタ装置に使用されるカードを示す図で、（ａ）図は平面図、（ｂ）図は側面図である。
【００１６】
本実施形態で使用されるカード１は、例えば超小型カードであり、挿入側に位置する前端部１ａの近傍の裏面側には、図示しないが信号の送受信に活用される複数の接触部を備え、両側部には凹部１ｂを備えている。
【００１７】
［本実施形態の構成］
図２は本発明に係るカードアダプタ装置の一実施形態を示す図で、（ａ）図は平面図、（ｂ）図は（ａ）図のＡ−Ａ断面図、図３は図２の（ｂ）図のＢ部拡大図である。また、図４は本実施形態に備えられ、超音波溶着が実施される前の下ケースを示す平面図、図５は本実施形態に備えられる端子部材、外部接続部、及び端子支持部材を示す図で、（ａ）図は平面図、（ｂ）図は側面図、図６は図４に示す下ケースに図５に示す端子支持部材が装着され、超音波溶着が実施される前の状態を示す平面図である。また、図７は超音波溶着が実施される直前の上ケースと下ケースとの接合状態を示す要部拡大断面図、図８は超音波溶着が実施された後の上ケースと下ケースとの接合状態を示す要部拡大断面図である。
【００１８】
図２に示すように、本実施形態は、合成樹脂製の上ケース２と、この上ケース２に接合される合成樹脂製の下ケース３と、これらの上ケース２と下ケース３との間に形成され、図１に示すカード１が挿入される挿入口４を備えている。また、図４，５に示すように、挿入口４から挿入されたカードが装着される所定の装着部を形成するカード挿入部５を備えている。
【００１９】
上述の下ケース３は、図４に示すように、超音波溶着による上ケース２との接合に際して活用される多数の山形突起３ａと、例えば４つの位置決め壁３ｂと、奥側位置に形成された段部３ｃとを備えている。山形突起３ａは、例えば図７に示すように断面が三角形形状に形成されている。
【００２０】
また、図２に示すように、上ケース２と下ケース３との間には、合成樹脂製の端子支持部材６を配置してある。この端子支持部材６には、図５に示すように、カード１の複数の接触部のそれぞれに接触可能な複数の端子部材６ａと、これらの端子部材６ａにそれぞれ一体に形成され、外部回路を形成する図示しないカードコネクタ装置と接続可能な複数の外部接続部６ｂとを支持させてある。また、この端子支持部材６には、図２の（ｂ）図に示すように、例えば上ケース２との間に隙間７を設けてこの端子支持部材６を保持させる金属製の突張部材６ｃと、図１に示すカード１の凹部１ｂのそれぞれに係合可能な凸部６ｄ１を有する一対の係合部材６ｄも支持させてある。さらに、この端子支持部材６には、図６に示すように、下ケース３の上述の位置決め壁３ｂのそれぞれに係合する例えば４つの位置決め部６ｅと、下ケース３の上述の段部３ｃに係止される前壁部６ｆとを形成させてある。
【００２１】
上述した複数の端子部材６ａ、複数の外部接続部６ｂ、一対の突張部材６ｃ、及び一対の係合部材６ｄは、例えば一枚の金属板を打ち抜いて一体に形成してある。また、これらの端子部材６ａ、外部接続部６ｂ、突張部材６ｃ、及び係合部材６ｄは、例えばインサート成形によって端子支持部材６と一体に設けてある。
【００２２】
また、上述した突張部材６ｃは、図５，６に示すように、端子支持部材６の両側部からそれぞれ腕状に張り出し形成され、例えば図３に示すように、これらの突張部材６ｃの先端部６ｃ１を上ケース２に当接させてあり、これに伴って生じる突張り力によって端子支持部材６を下ケース３側へ付勢している。これにより、上ケース２と端子支持部材６との間に上述の隙間７が形成されている。
【００２３】
なお、上ケース２と下ケース３との超音波溶着に際しては、あらかじめ図６に示すように、端子支持部材６が下ケース３に装着される。すなわち、端子支持部材６の前壁部６ｆを下ケース３の段部３ｃに係止させるようにして、また、端子支持部材６の位置決め部６ｅのそれぞれを、下ケース３の位置決め壁３ｂの対応するものに係合させるようにして、端子支持部材６が下ケース３に対して位置決めされ、装着される。
【００２４】
ここで図７に例示するように、下ケース３の上に、上ケース２が配置され、超音波が発せられる。これにより、多数の山形突起３ａのそれぞれが溶けて、図８に示すように山形突起３ａがそれまで存在していた部分に溶着部３ｄが形成され、これらの溶着部３ｄによって上ケース２と下ケース３とが一体に接合し、カードアダプタ装置が完成する。
【００２５】
［本実施形態の動作］
このように構成した本実施形態は、挿入口４からカード１が挿入され、このカード１が図６に示すカード挿入部５まで押し込まれると、カード１の両側部に形成された凹部１ｂのそれぞれに、係合部材６ｄの凸部６ｄ１のそれぞれが係合し、このカード１が保持される。また、このカード挿入部５の位置において、カード１に設けられた接触部のそれぞれが同図６に示す端子部材６ａのそれぞれに接触する。このようにカード１がカード挿入部５に挿入された状態で、図示しないカードコネクタ装置に接続されることにより、本実施形態に備えられる端子部材６ａ、外部接続部６ｂを介して、挿入されたカード１と、外部回路を構成する図示しないカードコネクタ装置との間で信号の送受信が可能となる。
【００２６】
［本実施形態の効果］
本実施形態によれば、端子支持部材６と上ケース２との間に突張部材６ｃによって隙間７を設けたので、上ケース２と下ケース３とを超音波溶着により一体に接合する際に、上ケース２と下ケース３と端子支持部材６とが一緒に溶着されてしまうことを防ぐことができる。しかも、突張部材６ｃの突張り力によって端子支持部材６を、上ケース２と下ケース３との間に安定して保持させることができる。したがって、超音波溶着した上ケース２と下ケース３を含めた全体及び各部に、超音波溶着に伴う形状のゆがみを生じることがなく、精度の高い形状にすることができる。これにより、超音波溶着による製作作業能率の向上を実現できるとともに、信頼性の高い装置を得ることができる。
【００２７】
また、複数の端子部材６ａ、複数の外部接続部６ｂ、一対の突張部材６ｃ、一対の係合部材６ｄ、及び端子支持部材６が一体に成形され、一体構造物を形成するので、組み付けが容易となる。これによっても製作作業能率を向上させることができる。
【００２８】
また、複数の端子部材６ａ、複数の外部接続部６ｂ、一対の突張部材６ｃ、一対の係合部材６ｄを、一枚の金属板を打ち抜いて一体に形成したことから、これらの端子部材６ａ、外部接続部６ｂ、突張部材６ｃ、及び係合部材６ｄを容易に製作することができる。この点でも製作作業能率を向上させることができる。
【００２９】
また、端子支持部材６が下ケース３の位置決め壁３ｂに対する位置決め部６ｅを有することから、下ケース３に対する端子支持部材６の位置決め精度を高めることができ、信頼性の高い装置の実現に貢献する。
【００３０】
［他の実施形態］
上記実施形態は、突張部材６ｃの突張り力によって端子支持部材６を下ケース３側に付勢し、上ケース２と端子支持部材６との間に超音波溶着に際して上ケース２と端子支持部材６とを溶着させないようにする隙間７を設けた構成にしてあるが、本発明は、このように構成することには限られない。突張部材６ｃの突張り力によって端子支持部材６を上ケース２側に付勢し、下ケース３と端子支持部材６との間に、超音波溶着に際し下ケース３と端子支持部材６とを溶着させないようにする隙間を設けた構成にすることもできる。
【００３１】
このように構成したものも、上ケース２と下ケース３との超音波溶着に際し、上ケース２と端子支持部材６と下ケース３とが一緒に溶着されてしまう事態を生じることがなく、上記実施形態と同等の効果を得ることができる。
【００３２】
また、上記実施形態は、端子支持部材６が下ケース３に示す位置決め部６ｅを備えた構成にしてあるのが、端子支持部材６が上ケース２に対する位置決め部を備えた構成にしてもよい。
【図面の簡単な説明】
【００３３】
【図１】本発明に係るカードアダプタ装置に使用されるカードを示す図で、（ａ）図は平面図、（ｂ）図は側面図である。
【図２】本発明に係るカードアダプタ装置の一実施形態を示す図で、（ａ）図は平面図、（ｂ）図は（ａ）図のＡ−Ａ断面図である。
【図３】図２の（ｂ）図のＢ部拡大図である。
【図４】本実施形態に備えられ、超音波溶着が実施される前の下ケースを示す平面図である。
【図５】本実施形態に備えられる端子部材、外部接続部、及び端子支持部材を示す図で、（ａ）図は平面図、（ｂ）図は側面図である。
【図６】図４に示す下ケースに図５に示す端子支持部材が装着され、超音波溶着が実施される前の状態を示す平面図である。
【図７】超音波溶着が実施される直前の上ケースと下ケースとの接合状態を示す要部拡大断面図である。
【図８】超音波溶着が実施された後の上ケースと下ケースとの接合状態を示す要部拡大断面図である。
【符号の説明】
【００３４】
１    カード
１ａ  前端部
１ｂ  凹部
２    上ケース
３    下ケース
３ａ  山形突起
３ｂ  位置決め壁
３ｃ  段部
３ｄ  溶着部
４    挿入口
５    カード挿入部
６    端子支持部材
６ａ  端子部材
６ｂ  外部接続部
６ｃ  突張部材
６ｃ１  先端部
６ｄ  係合部材
６ｄ１  凸部
６ｅ  位置決め部
６ｆ  前壁部
７    隙間
【図１】
2007264791.tif 000003
【図２】
2007264791.tif 000004
【図３】
2007264791.tif 000005
【図４】
2007264791.tif 000006
【図５】
2007264791.tif 000007
【図６】
2007264791.tif 000008
【図７】
2007264791.tif 000009
【図８】
2007264791.tif 000010